Podtech/llm-jp-corpus-v4-ja_patent huggingface dataset:
(57)【要約】      （修正有）【課題】局部治療でなく、局部を含む広い範囲の水虫菌・雑菌を少量の土槿皮エキス溶液にて浸漬治療する、経済的な浸漬治療方法で、短時間に殺菌・殲滅させる治療方法を提供する。【解決手段】土槿皮（どきんぴ・槿（むくげ）の根の皮）の抽出液で  土槿皮エキス・アルコール溶液を作るか  消毒効果の有る濃度の  アルコールに土槿皮を浸漬抽出  土槿皮エキス・アルコール溶液を作る  この溶液に足を日的の所迄  毎朝晩  時間単位で浸漬  角質・表皮・真皮  迄浸透させ  鱗状になり剥離する迄浸漬し  水虫菌・雑菌を  殺菌・殲滅  させる治療である。【選択図】なし【特許請求の範囲】
【請求項１】
土槿皮（むくげの根の皮）のエキスを抽出し  この抽出液と  消毒用アルコールを混合  消毒効果の高い  ８０％前後２０％程を最良とする  高濃度の  土槿皮エキス・アルコール溶液を作る  又は消毒効果の有る濃度以上の  飲料用アルコール  消毒用アルコールに  土槿皮を漬け  土槿皮エキス・アルコール溶液を作る  以下土槿皮エキス溶液と言う
【請求項２】
請求項１の  土槿皮エキス溶液に  水虫菌・雑菌に冒されている  足を浸漬し  水虫菌・雑菌  を殺菌殲滅させる  治療方法である。
【請求項３】
土槿皮エキス・溶液を  少量で効果的に使用する為に  足に薄い内靴下を履き  溶液の漏れない袋を履き  袋を締める靴下か  伸縮性の袋を履く  其の袋の中へ  請求項１の  土槿皮エキス溶液  を足首以上又は水虫菌・雑菌の繁殖している所を含む範囲以上迄入れるが  少量の土槿皮エキス溶液にて浸漬する事が出きる。  但し内靴下を使用しない事もある。
【請求項４】
内靴下と液漏れしない  伸縮性袋  を使用する事もある。
【発明の詳細な説明】
【発明の詳細な説明】
【産業上の利用分野】
【０００１】この発明は  水虫菌・雑菌  の患部を含め  菌の繁殖・付着していると考えられる  広い範囲以上のところを  土槿皮エキス溶液にて  数十分から時間単位で浸漬し  角質層・表皮・真皮迄  土槿皮エキス溶液を  浸透させ水虫菌・雑菌を  短期間で  殺菌・殲滅する  治療法である。
【背景技術】
【０００２】従来は患部に太陽灯を当てるが  全体に充分に当たらない  又患部に綿棒で少量の  水虫薬  を塗るか  スプレーで吹き付けているが  浸透性も悪く  その様な方法では  足全体に深く繁殖している  水虫菌・雑菌  の殺菌殲滅は難しく  見た所目には部分的に直つたようでも  すぐまた各所で繁殖し  永年  水虫菌・雑菌  に悩まされているのが現状である。  又重度の水虫に対しては  内服薬を処方しているが  副作用が大変心配であるしなかなか治癒が難しい。
中国には  土槿皮チンキなるものが有るが  サルチルサンが入つているため  非常に痛み  このような治療方法は出来ないし  治らない。
【発明が解決しようとする課題】
【０００３】（１）  従来の  水虫・雑菌  の局部治療でなく  局部を含む  広い範囲の水虫菌・雑菌を  少量の  土槿皮エキス溶液  にて浸漬治療する  経済的な  浸漬治療方法で  水虫を徹定的に  殺菌・殲滅  させる方法である。
（２）  内服薬治療は  体に良いはずがなく  副作用が有り心配である。
（３）  従来の方法では  何十年と云う長期間治療してもなかなか治癒しなかつた  水虫菌・雑菌を  短期間で殺菌・殲滅・させる  治療方法である。
【発明を実施するための最良の形態】本発明の実施について説明する。
（１）  土槿皮より抽出したエキスを  濃度８０％前後２０％程を最良とするアルコールか  又は消毒効果のある濃度以上の  飲料用アルコール・消毒用アルコールに  この抽出したエキスを混合  土槿皮エキス溶液を作る。
（２）  土槿皮を直接  消毒効果のある濃度以上の  消毒用アルコールか飲料用アルコール  に漬け  土槿皮エキス・アルコールを作る。
（３）  （１）か（２）の土槿皮エキス溶液に  足・手を時間単位  で浸漬することで  土槿皮エキス溶液が  角質・表皮・真皮の  水虫菌・雑菌の繁殖している深さ迄浸透し  範囲も局部を含む広い範囲を浸漬することで  短期間で  殺菌・殲滅  させる。
（４）  １日２回  １５日前後  程浸漬すると  角質が  鱗状に剥がれてくるなお浸漬を続ける  熱めの湯の容器に足を充分に入れ１０分程入れ柔らかくなつたら手で軽くこすると  鱗状の皮がとれる  皮が取れ始めて  ７日前後で鱗状の皮が取れてしまえば治療は完了する。
（５）  土槿皮エキス溶液  を有効に使用する為に  内靴下を履き溶液を透さない袋を履き  それを押さえる靴下か伸縮性の有る袋で絞り上げながら履く。  内袋の中へ  土槿皮エキス溶液を入れる事で  最小限の量で  充分な効果を得る事が出来る。
（６）  靴を  高濃度アルコールで  治療中は毎日  治療後も毎週消毒し  靴下も治療中は毎日消毒する。
（７）  浴室の床・浴室入口マツトも  治療中はたえず消毒する。
（８）  高濃度アルコールの為  アルコールの使用上の注意を尊守する事。
（９）アルコールに弱い方は  高濃度アルコールに浸漬する為  テストをし充分注意して使用の事。
（１０）  しつしんの出やすい方  アレルギー性の方は使用しない事。
（１１）  アルコール・アレルギーの方は  使用しない事。
【発明の効果】
本発明は  土槿皮エキス溶液を  出来得るかぎり少ない量で  水虫菌・雑菌の繁殖していると考えられる範囲以上の広範囲を  水虫菌・雑菌の繁殖している  角質・表皮・真皮迄  時間単位で浸透させる事で  ｌヶ月程度の短期間で水虫菌・雑菌を  殺菌・殲滅する事が出来る事を  発明・発見した。  靴下・靴・マツトを  消毒する事で  再感染を防ぐことに  注意する事。
【図面の簡単な説明】
【図１】  本発明の断面図。
【図２】  詳細図
【図１】
2006036742.tif 000002
【図２】
2006036742.tif 000003
(57)【要約】【課題】  トイレ用の抗菌消臭剤を提供する。【解決手段】  ポリヘキサメチレングアニジン燐酸塩を添加することにより、細菌類の繁殖を抑制し、臭気の発生を制御することができる。また本剤はハロゲンを含まない為、環境への負荷も少ない。【特許請求の範囲】
【請求項１】
ポリヘキサメチレングアニジン燐酸塩を主成分とするトイレ用抗菌消臭組成物。
【発明の詳細な説明】
【技術分野】
【０００１】  本発明は、列車やバス、航空機、旅客船などに設置される洗浄水が循環して使用される循環式トイレの循環水を処理するための抗菌消臭組成物に関するものである。
【背景技術】
【０００２】  列車やバス、航空機、旅客船などのトイレは、汚物タンクはあるが、洗浄水を外部から常時供給することができない。そのため、汚物タンク内の水を洗浄水としてリサイクルし、循環して繰り返し使用する。このようなトイレは循環式トイレと呼ばれ、汚物タンクに一定の水を蓄え、運行時に排泄された汚物等も加わった混合液の上澄みを洗浄水として循環使用し、一定期間運行後内容物をすべて排出するようになっている。【０００３】  したがって、汚物タンク内で使用されている水は、細菌発生によるアンモニア、硫化水素、メルカプタン等の生成により悪臭が発生する。またアンモニアの発生が洗浄水のｐＨを上昇させ、循環している水の溶けているカルシウムをスケール化し、便器や配管、汚物タンク等に付着し、尿石となる。尿石は外観上にも不衛生であり、悪臭の発生源となる。【０００４】  従来、尿石の生成防止の為に、スルファミン酸等の酸性物質を利用した薬剤が使用されている。これはアンモニアによるｐＨ上昇を抑制し、尿石の生成を防止するものである。また細菌の抑制には塩化ベンザルコニウム等の殺菌剤が使用されている。
【発明の開示】
【発明が解決しようとする課題】
【０００５】  しかし、酸性物質によるｐＨ上昇抑制では、殺菌しないので長期にわたるアンモニア発生量に対応する量はかなり多量になってしまう。また塩化ベンザルコニウム等のこれまでの殺菌剤では比較的ハロゲンが含有された薬剤が多く、廃棄する際の環境汚染が懸念される。本発明は、上記の問題点に対し、少量で効果が期待でき、廃棄においても環境負荷の少ない殺菌剤を課題とする。
【課題を解決するための手段】
【０００６】  本発明にあたり、発明者らは少量で殺菌効果があり、ハロゲンを含まない殺菌剤を基本にスクリーニングし、ポリヘキサメチレングアニジン燐酸塩が顕著な効果を示すことを発見し、本発明を完成した。
【発明の効果】
【０００７】  本発明のポリヘキサメチレングアニジン燐酸塩は、水溶性の殺菌剤でハロゲンを含まない。また細菌類のみではなく、真菌類，酵母類に対しても顕著な効果を示す。カチオン性を示す殺菌剤であるが、ｐＨの安定域が広く、ｐＨ１〜１０位で安定した殺菌効果を示す。
【課題が解決するための最良の形態】
【０００８】  本発明のポリヘキサメチレングアニジン燐酸塩は、常温において白色の結晶であり、他の抗菌剤，防カビ剤との併用が可能である。又ｐＨ調整剤，消臭剤等の併用も可能である。形状としては、粉末状，液状での製剤化が可能でタブレット，顆粒での固形タイプ、水溶液タイプと使用状況に応じた製剤の供給が可能である。
【実施例】
【０００９】  以下、実施例により詳細説明する。しかし、本発明はこれらの実施例に限定されるものではない。【００１０】  （実施例１）ゴム管がついた蓋を持つ５００ｍｌのポリ容器に生屎尿１００ｍｌ入れ、ポリヘキサメチレングアニジン燐酸塩（以下ＰＨＭＧと略す。）を添加した後、ゴム管をコックで閉じ、３７℃で２４時間静置した。【００１１】  （消臭試験）
ゴム管にガス検知管を付け、コックを外してポリ容器内のアンモニア濃度を測定した。その結果を表１に示す。【００１２】  （抗菌試験）
２４時間静置した生屎尿０．１ｍｌを普通寒天培地に塗布し、細菌類の有無を確認した。その結果を表１に示す。【００１３】
【表１】
2006036747.tif 000002
【産業上の利用可能性】
【００１４】  本発明のポリヘキサメチレングアニジン燐酸塩は、トイレ用の抗菌消臭剤として十分な効果を有している。本剤は粉末での供給が可能であり、タブレット型，顆粒型など徐放タイプの製剤や高濃度に溶解した水溶液を用いた滴加タイプなど様々な製剤が可能である。またハロゲンを含まないので環境に対しても負荷が少ない抗菌消臭剤を提供することができる。
(57)【要約】      （修正有）【課題】  田螺、特にジャンボ田螺（スクミリンゴガイ）は田植え直後の幼稲を食害する。  稲・レンコン・カラー・い草などに与える被害は甚大である。  環境適応能力に優れ、繁殖力が旺盛で、個体数は年々増大傾向にある。  これ等を撲滅する有効な決定的技術は今まで無かった。  そこで簡便で、安全で、効果的に撲滅する、田螺駆除剤を提供する。【解決手段】  ＰＩＮＥ  ＯＩＬ、或いはＰＩＮＥ  ＮＥＥＤＬＥ  ＯＩＬ、或いはＰＩＮＥＣＥＡＣＯＭ  ＯＩＬ、或いはα−ＰＩＮＥＮＥ、又はこれ等を任意に混合したものにグリセリン脂肪酸エステル、ソルビタン脂肪酸エステル、ショ糖脂肪酸エステル、プロピレングリコール脂肪酸エステル、レシチン等の食品用乳化剤を添加し親水性を持たせた田螺駆除剤である。  田螺に対する効果が有効で、蛙・カブトエビ・ヤゴなどの有益動物は勿論、人畜に及ぼす悪影響が無く、環境破壊の無い田螺駆除剤であることを特徴とする。【選択図】なし【特許請求の範囲】
【請求項１】
ジャンボタニシ（学名・スクミリンゴガイ＝Ｐｏｍａｃｅａ  ｃａｎａｌｉｃｕｌａｔａ）、オオタニシマルタニシ、ヒメタニシ、ナガタニシ等を駆除する田螺駆除剤。
【発明の詳細な説明】
【技術分野】
【０００１】  この発明は、使用法が簡便で、対毒防御が不要で、有益動物・昆虫に及ぼす悪影響が無いか或いは極めて軽微な、田螺駆除を目的とする田螺駆除剤に関するものである。
【背景技術】
【０００２】  従来、田螺の駆除法として▲１▼石灰窒素の散布、▲２▼田螺防除用ロータリー使用▲３▼進入防止網設置、▲４▼乾田転換法、▲５▼手取り等が主な技術であるが、▲１▼の技術は散布後の温度低下による効果半減等の不安定要因．、大量使用による土壌ｐＨバランスの破壊、降雨時の河川への流出等の問題を含む。▲２▼の技術は機械に要す費用と時間に比較し田螺駆除率は概ね５割位に留まり、残留固体がすぐに繁殖する。▲５▼の技術は視認した個体を駆除する方法で駆除率は非常に低いと推量できる。▲３▼▲４▼の技術は消極的技術であり、前者の場合は土中残留の冬眠個体には及ばず、後者の場合は乾田転換期間中は米・麦の収穫を望めない。
【発明の開示】
【発明が解決しようとする課題】
【０００３】  従来の田螺防除法には以上に述べた問題点があった。
本発明は、以上のような欠点を無くすためになされたものである。
【課題を解決するための手段】
【０００４】  ＰＩＮＥ  ＯＩＬ、或いはＰＩＮＥ  ＮＥＥＤＬＥ  ＯＩＬ、或いはＰＩＮＥＣＥＡＣＯＭＯＩＬ、或いはα−ＰＩＮＥＮＥ、またはこれ等を任意に混合したものに乳化剤を添加したもの。
本発明は、以上の構成よりなる田螺駆除剤である。
【発明の効果】
【０００５】  本発明はこのような構成だから、水の入った田に原液または希釈した液を散布或いは流すだけで良く、僅かな労力で効果が得られ、特別な機器の必要は無い。
水中にいる田螺は勿論、土中に潜った田螺にも拡散した液の効果が及ぶ。
使用原材料は共に植物油であり、添加する乳化剤もグリセリン脂肪酸エステル、ソルビタン脂肪酸エステル、ショ糖脂肪酸エステル、プロピレングリコール脂肪酸エステル、レシチン等の食品用乳化剤を使用すれば実施に際して特に防毒のための防御は不要である。
実施した駆除剤は短時間内に拡散し、灌水中での液濃度は極めて低くなり稲や麦の幼苗に悪影響を与えることは無い。
灌水中に占める本発明の田螺駆除剤濃度は１ＰＰＭ前後で有効である。
本発明の使用原料の成分・性質・実効濃度から勘案し人体に及ぼす悪影響、稲に及ぼす悪影響、環境に及ぼす悪影響等は無い。
事実上、実施した田螺駆除剤はトンボの幼虫、蛙、カブトエビ、雑魚類等に対して特段の影響を与えず、良好な環維持が可能と観察できた。
【発明を実施するための最良の形態】
【０００６】  以下、本発明の実施例について説明する。
面積が５０メートル×６０メートルの田を２箇所用意した。
共に平均水深が１０センチメートルで、水面下にある土壌は泥状を呈しており、各々の田には毎１平方メートル当たり約４匹のジャンボ田螺が生息。
この２箇所の田は、灌水を浅く保つことによってジャンボ田螺を利用して雑草を除去しており、ジャンボ田螺や他の種の田螺の単位面積当たりの生息数はかなり密である。
２箇所の田をそれぞれ便宜上、Ａ・Ｂと呼称する。
Ａには、本発明の原液を水で１０００倍に先ず希釈し、農薬散布用の噴霧ポンプにて万遍無く灌水面上に散布した。
Ｂには、本発明の原液を希釈せず、風上位置から２０分ほどの時間をかけ徐々に滴下した。
実施日は気温３２度、風速１メートルと発表されており、Ｂ水面に滴下した原液は拡散しつつ、毎分５０〜６０センチメートルづつ風下方向に流され、滴下が完了した時点では相当の面積に拡散した。
Ａ・Ｂの２箇所において実施開始時刻より各々３０分が経過した時点にて、Ａにおける最初の噴霧地点周辺、Ｂにおける滴下地点周辺の田螺が不自然に急に動き始め、更に３０分経過した時点でほとんどの田螺が動きを止めた。
この状況の変化は、時間経過と共にＡでは最後に実施した地点周辺に及びＢでは風下側にある対面の畦周辺へと及んだ。
各々での実施開始より５時間経過後では殆どの田螺は動きを止め、それらの約２０パーセントは死亡し、残り約８０パーセント中の約２０パーセントの個体が時々僅かに身を動かす程度であった。
実施日の翌日Ａ・Ｂを観察したところ、水面上に浮いた個体と泥上にて動かぬ固体の全数が死亡しているのを確認した。
またＡ・Ｂに共通して泥部分に多数の穴が有るのを発見、それ等の最深部を確認したところ田螺が存在し、確認した全数が既に死亡していた。
実施日より連続して７日間Ａ・Ｂを観察したが、目視の範囲では生息する田螺の姿は一切認め得なかった。
噴霧器の先端ノズル径の太いものを使用すれば原液噴霧も可能であり、相当の時間短縮、労力軽減を図ることが可能である。
Ａ・Ｂの各辺の長さと平均水深からＡ・Ｂにおける灌水の総容積が得られ実施した原液の使用量より、灌水中に占める原液濃度は約１ＰＰＭである。
この数値は、実験段階で既に得ていた有効濃度の範疇に入る。
(57)【要約】      （修正有）【課題】手の届きにくい場所に、テープ剤・シップ薬等を貼るのに一人で思う場所に正確に貼り付けることができる、貼付装置である。【解決手段】  ローラーとシップ薬等の押さえと、両方でシップ薬等を固定するので難しかった剥離紙をきれいに剥離することができる。取扱いが簡単であり、多少手の不自由な人でもローラーを上下に移動回転させることによりテープ剤やシップ薬等の貼り付けが正確にできる、又重量が軽く、力もあまり必要としないため、老人等の人達も使用できる。本体が身体に密着しやすいようにアール形になっている。ローラーからテープ剤やシップ薬等が剥離しやすくするため、剥離具６があるためスムーズに身体に貼り付き、シップ薬等が固定される。【選択図】  図３
2006346078.tif 000002
【特許請求の範囲】
【請求項１】
ローラーの表面に面テープと粘着テープを交互に付着させたものに、テープ剤及びシップ薬等の裏面を指圧し、シップ薬等を仮止めし、ローラーの回転により手の届きにくい場所にテープ剤・シップ薬等を身体に貼り付ける貼付装置
ローラーが回転することにより、シップ薬等が自動的にローラーから離れ身体に固定されるシップ薬剥離具を付属する。
本体にシップ薬等の剥離紙を正確に剥離する為のシップ薬押えを設ける。
シップ薬等の剥離紙を剥離するとき、シップ薬等がずれない様に本体の表面と裏面と指でシップ等を固定する為のくぼみを本体に設ける。
【請求項２】
シップ薬等の大きさにより、本体の表と裏面を用途により使用する。
【発明の詳細な説明】
【技術分野】
【０００１】
この発明は取り扱いが簡単であるから、身体に少し障害のある人が自分でテープ剤やシップ薬等を貼ることができる、貼付装置である。
【背景技術】
【０００２】
手の届きにくい背中等にテープ剤やシップ薬等を貼ることは一人ではむずかしく、思った所に貼るには他人に貼ってもらうしかなかった。
【特許文献１】特開平０１−２８０４７５号公報
【発明の開示】
【発明が解決しようとする課題】
【０００３】
テープ剤やシップ薬等の貼付装置は色々の形態があるが、取り扱いが複雑であったり重量があるため、誰にでも使いこなしができなかった。
【０００４】
剥離紙を剥離するのに、正確に剥離できるものがなかった。
【課題を解決するための手段】
【０００５】
面テープと粘着テープをローラーに付着させることにより、あらゆるテープ剤やシップ薬等の裏面に対応することが可能になり、シップ剤等を一人で貼ることができる。
【０００６】
ローラー本体に面テープと粘着テープを両方取り付けることにより、テープ剤やシップ薬等が仮止めされる。
【０００７】
仮止めされたシップ薬等はローラーの回転を利用し、シップ薬等剥離具により剥離され、身体にスムーズに付着する。
【発明の効果】
【０００８】
本発明は自分で思った場所に、シップ薬等を貼ることができる。
【０００９】
面テープ及び粘着テープにテープ剤やシップ薬等の裏面をシップ薬等剥離具６を中心に押圧しテープ剤やシップ薬等の剥離紙のみを剥離する。
【００１０】
シップ薬等から剥離紙やテープ剤等のフィルムを剥離するとき、シップ薬等押えにより、しわになったり、折れるのを防ぐシップ薬押え５Ａ、５Ｂを設ける。
【００１１】
本体にくぼみ８を設け、表面と裏面より指でシップ薬等を押えることにより、より確実に剥離紙を剥離することができる。
【００１２】
ローラーを上下に回転移動させることにより、正確に身体にテープ剤やシップ薬等を付着させることができる。
【００１３】
本体の表面、図２はシップ薬等大きいサイズのものに、又図３裏面はテープ剤等のサイズの小さなものに使用する。
【実施例１】
【００１４】
図１は面テープ４と粘着テープ３をローラーに交互に付着させた、正面図である。
【実施例２】
【００１５】
ローラーからテープ剤やシップ薬等が剥離しやすいようにシップ薬等剥離具６を設ける。
【実施例３】
【００１６】
図２は、大きいサイズのシップ薬等に使用し、シップ薬等７はローラーの下の面まで延ばし、粘着テープ３と9Aに押圧固定する。
【実施例４】
【００１７】
シップ薬等７を仮止め後、裏面より指を使い、くぼみ８とシップ薬等押さえ５Aを利用し、剥離紙１０を剥離する。
【実施例５】
【００１８】
図３は小さいサイズのテープ剤等や面テープに接着しないものに使用する。テープ剤等剥離具６の先まで延ばし、３と9Bの粘着テープで固定する。
【実施例６】
【００１９】
テープ剤等７は仮止め後、裏面より指を使い、くぼみ８とテープ剤等押さえ５Bを利用し、剥離紙１０を剥離する。
【実施例７】
【００２０】
ローラーを矢印の方向に回転させることにより、シップ薬等が背中に付着する。
【図面の簡単な説明】
【００２１】
【図１】実施例１の正面図でテープ剤やシップ薬等の取り付ける前である。
【図２】実施例３の斜視図でシップ薬から剥離紙を剥離する図である。
【図３】実施例５で図２の斜視面の裏側から見た図である。
【符号の説明】
【００２２】
１．  本体
２．  ローラー
３．  粘着テープ
４．  面テープ
５Ａ．シップ薬等押え
５Ｂ．テープ剤等押え
６．  シップ薬等剥離具
７．  テープ剤・シップ薬等
８．  指を通す押え穴
９Ａ．面テープ
９Ｂ．粘着テープ
１０．剥離紙
【図１】
2006346078.tif 000003
【図２】
2006346078.tif 000004
【図３】
2006346078.tif 000005
(57)【要約】【課題】  ドリル、ネジ切りを一体にし、作業効率を良くするドリルネジ切りを提供する。【解決手段】  ドリル後部にネジ切り部を取り付け、ドリル、ネジ切りが１工程で作業をするドリルネジ切り具である。【選択図】  図１
2006346842.tif 000002
【特許請求の範囲】
【請求項１】
ドリル後部にネジ切りを設けたことを特徴とするドリル穴開け具。
【請求項２】
ドリル、ネジ切りを設けて１体にした請求項１のドリルネジ切り具。
【発明の詳細な説明】
【技術分野】
【０００１】  本発明は、ドリル先端で穴を開けると同時にネジ切りをする、ドリルネジ切りに関するものである。
【背景技術】
【０００２】  従来、穴開けとネジ切りは別々の作業工程であった。
【発明の開示】
【発明が解決しようとする課題】
【０００３】  そのために次のような問題点があった。
（イ）穴開け専用ドリルで先に穴開けをし、別のネジ切り専用ドリルでネジ切りをしていた作業が２工程必要であった。
（ロ）そのために作業効率が悪かった。
本発明は、以上の問題点を解決するためになされたものである。
【課題を解決するための手段】
【０００４】  ドリル後部にネジ切り、タップを取付け、電動ドリルに装着し、１作業工程で穴開け、ネジ切りを同時にする。
以上の特徴とする穴開けネジ切りドリルである。
【発明の効果】
【０００５】  穴開け、ネジ切りが１作業工程で効率が良い。
【発明を実施するための最良の形態】
【０００６】（イ）ドリル（１）ネジ切り（２）を設け、ドリル固定（３）を電動ドリルに装着し、穴開け、ネジ切り作業をするものである。
【図面の簡単な説明】
【０００７】
【図１】  本発明の全体図
【図２】  本発明の分解斜視図
【符号の説明】
【０００８】  １．ドリル
２．ネジ切り
３．ドリル固定
【図１】
2006346842.tif 000003
【図２】
2006346842.tif 000004
【図３】
2006346842.tif 000005
【手続補正書】
【提出日】平成17年8月2日(2005.8.2)
【手続補正１】
【補正対象書類名】明細書
【補正対象項目名】０００７
【補正方法】変更
【補正の内容】
【０００７】
【図１】  本発明の全体図
【図２】  本発明の分解斜視図
【図３】  本発明の断面図
【手続補正２】
【補正対象書類名】明細書
【補正対象項目名】０００８
【補正方法】変更
【補正の内容】
【０００８】１、ドリル（穴開）
２、ネジ切り（ネジ切り）
３、ドリル固定（固定）
(57)【要約】      （修正有）【課題】従来使われているモンキイーレンチは、使用中に調整用ウォームの、回転により間隔が動いて使用中に何度も調整をする事で、時間的ロスに為るとともに、製品組立て中製品に傷を入れる原因でもある、また手や指の負傷にもつながりかねないため、ロック機能にて間隔が甘くなるのをロックする事で解決することができるモンキーレンチの提供。【解決手段】モンキーレンチの、調整用ウォーム２のローレット溝の部分に食い込む様スプリング製ロック金具３を、ビスにて、取り付ける事で、回転がロック状態に成り、作業が、スムーズに進む。【選択図】図２
2006346849.tif 000002
【特許請求の範囲】
【請求項１】
モンキーレンチの使用中間隔のズレが生じ無い為のロック機能である。
【請求項２】
前記ロック機能は片面にスプリング状で加工した物をビスで取り付ける物である。
【発明の詳細な説明】
【技術分野】
【０００１】この発明はボルト等の締め付け作業時に使用するモンキーレンチの機能に関する。
【背景技術】
【０００２】従来のモンキーレンチは使用中に間隔が甘く為るために使い辛い背景にあつた。
【発明の開示】
【発明が解決しようとする課題】
【０００３】従来のモンキーレンチは使用中に間隔が甘く為るために、ボルトの空回り、機器等に傷付、手などの負傷の原因にも為るために、そこで、この発明は、ロック機能にて間隔が甘くなるのをロックする事で解決しようとすることを課題とする。
【発明が解決するための手段】
【０００４】以上の課題を解決する為に、この発明は、調整用ローラ部分をロック機構で固定し使用能率を高める、ロック付モンキーレンチである。
【発明の効果】
【０００５】ロック機能を付けたことで使用中に、調整、機器等の傷付け、手のケガ、作業途中での時間的ロスが少なく為ると思われる。
【発明を実施するための最良の形態】
【０００６】この発明−実施形態を、図１、図２、図３、に示す。
このロック付モンキーレンチは、スプリング鋼にて、間隙調整用ローラ部のローレット溝に、スプリングの力で回転をロックする。【０００７】スプリングを指で押える事でウォーム部が、用意に可動でき間隔調整がスムーズに出来る。
【図１】
2006346849.tif 000003
【図２】
2006346849.tif 000004
【図３】
2006346849.tif 000005
【手続補正書】
【提出日】平成17年9月9日(2005.9.9)
【手続補正２】
【補正対象書類名】明細書
【補正の内容】
2006346849.tif 000006
2006346849.tif 000007
【手続補正書】
【提出日】平成17年11月21日(2005.11.21)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【枝術分野】
【０００１】この発明はボルト等の締め付けに使用する。モンキーレンチの間隔合わせのウォームの回転による間隔ズレを無くすための機能を従来在るモンキーレンチ本体にスプリング製の機具を取り付ける事でウォームの回転を止める事で作業性を高める為の機能に関する。
【背景枝術】
【０００２】従来モンキーレンチは使用中にウォームの回転により間隔が広く為るために使い辛い背景にあった。
【発明の開示】
【０００３】従来のモンキーレンチは使用中に間隔が広く為るために、６角ボルトの空回り、機器等に傷付、手先などの負傷の原因にも為るため、そこで、この発明は、ロック機能にて間隔が広く為るのをロックする事で解決する事を課題とする。
【発明が解決しようとする課題】
【０００４】以上の課題を解決する為に、この発明は、調整用ウォーム部分をロック機構で固定し使用効率を高める為の、ロック付モンキーレンチである。
【発明の効果】
【０００５】ロック機能を付けた事で使用中に、調整の手間が少なく為ると共に、等の傷付け、手先の負傷など、作業中での時間的ロスが少なくなると思われる。
【発明を実施するための最良の形態】
【０００６】この発明−実施形態を、図１、図２、図３、に示す。
このロック付モンキーレンチは、スプリング鋼にて、間隔調整用ウォーム部分のローレット溝に、スプリングの力で回転をロックする。【０００７】スプリングの一端を、鋭角にしてローレット溝に食い込ませる。【０００８】スプリングを指で押える事でウォーム部が、用意に可動出来間隔調整がスズに出来る。
【図面の簡単な説明】
【０００９】
【図１】  平面図
【図２】  側面図
【図３】  拡大詳細
【符号の説明】
【０００１】  モンキーレンチ本体
【０００２】  回転ウォーム
【０００３】  スプリング製ロック金具
(57)【要約】【課題】  一般家庭において誰でも手軽に然も安全に利用することができる刃物用研ぎ具を提供する。【解決手段】  下面にシート状の吸着板２を固着し、上面に板状の磁石板３を固着した所定の厚さで長方形板状の緩衝材１の前記磁石板３の上面にスチール板４を着脱自在に取り付け、前記スチール板４の上面に研磨布５を固着したことを特徴とする。【選択図】  図１
2006346845.tif 000002
【特許請求の範囲】
【請求項１】
下面にシ−ト状の吸着板を固着し、上面に板状の磁石板を固定した所定厚さで長方形板状の緩衝材の前記磁石板の上面に、磁石を介してスチール板を着脱自在に取り付け、前記スチ−ル板の上面に研磨布を張り合わせてー体化したことを特徴とする刃物用研ぎ具。
【発明の詳細な説明】
【技術分野】
【０００１】  本発明は包丁、鋏、ナイフ、工作用刃物等を研ぐ際に使用する研ぎ具で、熟練を必要とせず、誰でも手軽で簡単に、然も正確に研ぐことができる刃物用研ぎ具に関するものである。
【背景技術】
【０００２】  従来、刃物用研ぎ具は、古くから天然の石を利用したものが主流を占めていたが、近年サンドペーパーを使ったり人工的に作った材料を利用し、機械的に行なう刃物用研ぎ具が各種提供されるようになった。
特に一般家庭用として安全で手軽に使用でき、しかも正確に包丁や鋏、ナイフ等を研ぐことができる研ぎ具が提供されるようになった。
【特許文献１】実願昭６０−１７８６６０号公報
【特許文献１】特開２００２−４６０７４号公報
【意匠文献１】
意匠登録１１９４２２９号公報
【意匠文献１】
意匠登録１２０９０３６号公報
【発明の開示】
【発明が解決しようとする課題】
【０００３】  しかし、これまでに提供されている刃物用研ぎ具は天然石を利用したものに比較すると大幅に改良されているが、手軽に使えてしかも安全で正確に研ぐことができる研ぎ具には未だ改良を加えなければならないものであった。
特に機械的に行なう研ぎ具は精巧確実に研げるが、高価であるばかりでなく危険性が伴うので、ある程度熟練したものでないと扱うことはできなかった。
又、家庭において包丁やナイフ、鋏等を研ぐには安全が最優先されなければならないことは云うまでもないが安価に提供できることも重要である。
本発明は一般家庭において誰でも手軽に然も安全に利用することができる刃物用研ぎ具を提供することを目的とする。
【課題を解決するための手段】
【０００４】  上記目的を達成するため本発明は下面にシート状の吸着板２を固着し、上面に板状の磁石板３を固着した所定の厚さで長方形板状の緩衝材１の前記磁石板３の上面にスチール板４を着脱自在に取り付け、前記スチール板４の上面に研磨布５を張り合わせてー体化したものである。
【発明の効果】
【０００５】  上記のように構成された本発明には次のような効果がある。
ａ．緩衝材の上面に磁石板が固着され、この磁石板の上に、研磨布を上面に固着させたスチール板が着脱自在に取り付けられているので、予め複数種の研磨布（細目、中目、粗目）を上面に設けたスチール板と研磨布をー体化したものを用意しておけば研磨布が摩耗してもスチール板を取り替えるだけで新しい研ぎ具に再生される。
ｂ．緩衝材の下面に吸着板が固着されているので凹凸のない平面材の上に設置すれば確実に固定され誰にでも安全で確実に研ぐことができる
ｃ．簡単な構造からなっていて製造工程も少ないので安価で大量に提供できる。
【発明を実施するための最良の形態】
【０００６】  以下、本発明の実施の形態を図面に基づいて説明する。【０００７】  図１は本発明の分解斜視図、図２は本発明の側面図、図３は本発明を使って刃物を研ぐ状態を示した側面図で図４は補助具を利用して刃物を研ぐ状態を示した図で、図中の符号Ａは研ぎ具全体、Ｂは補助具、Ｃは刃物を示す。【０００８】  １は所定の厚さを有する長方形板状のポリエチレン発泡体からなる緩衝材で、所謂研ぎ具の基盤となるもので、この緩衝材１の下面にはこの下面と同ー面の吸着板２が固着され、上面にはこの上面と同ー面の磁石板３が固着されている。【０００９】  吸着板２は上面が接着剤を介して緩衝材１下面に固着され、下面は極小さい吸盤が多数設けられた構造の吸着面になっていて、平らな設置面であれば面に強く吸着されるようになっている。【００１０】  磁石板３は緩衝材１と同様の長方形板状の永久磁石で、下面が接着剤を介して緩衝材１の上面に固着されており、上面には研磨布５が固着されたスチール板４が着脱自在に取り付けられるようになっている。【００１１】  スチール板４の上面には接着剤を介して刃物を研ぐための研磨布５が固着されており、スチール板４を緩衝材１の上面に固着された磁石板３に接着させることによって研ぎ具Ａが完成する。
上面に研磨布５を固着したスチール板４は磁石板を３を介して緩衝材１に吸着されているので必要に応じて自在に着脱できる。
従って、長時間使用して研磨布が摩耗しても別途研磨布付きのスチール板を用意しておくことによって容易に取り替えることができる。【００１２】  上面に研磨布５を固着したスチール板４は０，２ＭＭ程度の厚さで磁石板３の磁力が研磨布５とスチール板４を通して働き、刃物Ｃの先端部を吸着するので軽い力で安定した研磨作業ができる。
研磨布５は布製のサンドペーパーや網状の硬質樹脂製の研磨材等のシートを利用したもので、研ぐ目的によって細目、中目、粗目等、複数種の研磨布を固着したスチール板を準備しておくと便利である。【００１３】  上記のように構成された本発明を実際に使用する場合は次のようになる。
研ぎ具Ａの吸着板２を凹凸の全くない鏡面状の設置面に置き、上から軽く押圧すると研ぎ具Ａは完全に固定される。
この状態で図３に示したように刃物Ｃの刃の角度を研磨布５に合わせた状態で軽く前後に複数回摺動させると切れ味の鋭い刃に研ぎ上がる。
又、図４に示したように、刃物研ぎ補助具Ｂを利用し、この補助具の板磁石ｂに刃物を吸着させて刃の角度（１０°〜１５°）を設定した状態でローラーａを利用し、補助具Ｂを前後に摺動させるだけで正確に刃物を研ぐことができる。
刃物研ぎ補助具は径の異なるローラーに取り替えることによって角度の異なる刃物を自在に研ぐことができる。
本発明の刃物用研ぎ具のスチール板（上面に細目、中目、粗目等の研磨布を固着した）は磁石を介しで着脱自在に緩衝材に接着されているので、スチール板を取り替えることによって一台の研ぎ具で複数の用途に対応できる。
【図面の簡単な説明】
【００１４】
【図１】  本発明の分解斜視図
【図２】  本発明の側面図
【図３】  本発明を使って刃物を研ぐ状態を示した側面図
【図４】  補助具を利用して刃物を研ぐ状態を示した図
【符号の説明】
【００１５】  １  緩衝材
２  吸着板
３  磁石板
４  スチール板
５  研磨布
Ａ  研ぎ具
Ｂ  補助具
Ｃ  刃物
ａ  ローラー
ｂ  板磁石
【図１】
2006346845.tif 000003
【図２】
2006346845.tif 000004
【図３】
2006346845.tif 000005
【図４】
2006346845.tif 000006
(57)【要約】【課題】従来は包丁で切れ目を入れていたため、玉ねぎの必要な部分を残し一定した切れ目を入れることができなかった。【解決手段】本発明は、円筒状の本体にステンレス製の薄板を組み合わせて取付けることで、玉ねぎの必要な部分を残し一定した切れ目を入れることができる。それを図面で説明すれば、図１−１本体に切れ目図２−４を５に、図２−８を７に、図２−６を９に組合せた図１−２ステンレス製薄板部を取付ける。次に、ステンレス製薄板部を固定するため図１−３薄板固定部を嵌め込み固定する。なお、食卓を綺麗な花で飾るには図３の中心部を玉ねぎの中心に合わせ図１−３薄板固定部の両端を持って押さえてカットする。次に、電子レンジでチンをすると綺麗な花の形状ができる。また、図４Ｓの字カッターを使用して花の形状を変えて楽しむこともできる。【選択図】図１
2006346154.tif 000002
【特許請求の範囲】
【請求項１】
玉ねぎを花の形状にするため図１−２ステンレス製の薄板を円筒状の図１−１本体に取付けたカッター。
【請求項２】
ステンレス製の薄板図２−４〜９切れ目を組合せたことを特徴とする請求項１記載のカッター。
【発明の詳細な説明】
【技術分野】
【０００１】
本発明は、玉ねぎを花の形状にするためにステンレス製の薄板を組み合わせて円筒状の本体に取り付けたものである。
【背景技術】
【０００２】
従来は包丁で切れ目を入れていたのでそれぞれの切る深さがまちまちであるため、花の形状が悪く見栄えがよくなかった。
【０００３】
しかし、本発明は、円筒状の本体にステンレス製の薄板を組み合わせて取付けることで、玉ねぎの必要な部分を残し一定した切れ目を入れることができる。
【特許文献１】特開２００５−００００００号公報
【非特許文献１】著  特許出版  ２００５年
【発明の開示】
【発明が解決しようとする課題】
【０００４】
従来は包丁で切れ目を入れていたため、玉ねぎの必要な部分を残し一定した切れ目を入れることができなかった。この課題を解消するためになされたものである。
【課題を解決するための手段】
【０００５】
本発明は、円筒状の本体にステンレス製の薄板を組み合わせて取付けることで、玉ねぎの必要な部分を残し一定した切れ目を入れることができる。それを図面で説明すれば、図１−１本体に切れ目図２−４を５に、図２−８を７に、図２−６を９に組合せた図１−２ステンレス製薄板部を取付ける。次に、ステンレス製薄板部を固定するため図１−３薄板固定部を嵌め込み固定する。なお、食卓を綺麗な花で飾るには図３の中心部を玉ねぎの中心に合わせ図１−３薄板固定部の両端を持って押さえてカットする。次に、電子レンジでチンをすると綺麗な花の形状ができる。また、図４Ｓの字カッターを使用して花の形状を変えて楽しむこともできる。
【発明の効果】
【０００６】
このようにすれば、玉ねぎの必要な部分を残し一定した切れ目を入れることで、綺麗な花の形状を作ることができて、楽しんで食事をすることができる。
【発明を実施するための最良の形態】
【０００７】
本発明は、本体にステンレス製の薄板を組み合わせて取付けることで、玉ねぎの必要な部分を残し一定した切れ目を入れることができる形態になっている。
【産業上の利用可能性】
【０００８】
簡易なものを作製して使用してみた結果、食卓に玉ねぎを綺麗な花の形状で飾ることができたので産業上の利用可能性は高いと考えている。
【図面の簡単な説明】
【０００９】
【図１】正面図
【図２】中央部構成図
【図３】中央部拡大図
【図４】Ｓの字カッター正面図
【符号の説明】
【００１０】
１本体
２ステンレス製薄板部
３薄板固定部
４〜９切れ目部
【図１】
2006346154.tif 000003
【図２】
2006346154.tif 000004
【図３】
2006346154.tif 000005
【図４】
2006346154.tif 000006
(57)【要約】【課題】老人や病弱な人が行うちょこちょこ歩きやすり足歩きをして転ぶ原因を研究した結果、このような歩き方をする人は、脚の脛の筋肉である前脛骨筋が弱っていることがわかった。【解決手段】木や硬質プラスチック等の撓みが少ない硬質材製の長尺材のおもて面の後部に足の甲を入れる甲革部を設け、さらにおもて面の先部に、錘を設けたことを特徴とする。【選択図】        図１
2006346191.tif 000002
【特許請求の範囲】
【請求項１】
木や硬質プラスチック等の撓みが少ない硬質材製の長尺材のおもて面の後部に足の甲を入れる甲革部を設け、先部に、錘を設けたことを特徴とする歩行強化具。
【請求項２】
請求項１において、おもて面の先部に、錘の係止部を設けて錘の着脱を可能にしたことを特徴とする歩行強化具。
【発明の詳細な説明】
【技術分野】
【０００１】
本発明は、老人や何らかの理由によって長期にわたって脚を使用しなかった人等の脚の筋肉のトレーニングに使用する歩行強化具に関する。
【背景技術】
【０００２】
従来の脚のトレーニング具としては、靴の底の中央部からつまさきにかけて突出した半内底部を設け、この半内底部の後端から踵の後部にかけて空間部を形成した健康靴がある（例えば、特許文献１参照。）。
【特許文献１】特開２０００−９３２０３
【発明の開示】
【発明が解決しようとする課題】
【０００３】
このような健康靴によると、脚のふくらはぎの筋肉を強化することができる。
上記したような老人や何らかの理由によって長期にわたって脚を使用しなくて歩行がうまくできなくなった人は、転びやすい歩き方であるすり足、ちょこちょこ歩きをする。これは、転ばないようにと意識して、目線を下に向け、腕の振りが小さく、つま先から歩みを進め、歩幅も狭く、つま先を上げる量が少ない。これによって、ちょっとした凹凸や段差、歩道ブロックの境目などにつま先を引っかけやすくなり、つまずいたり転んだりすることが多く、これによって骨折をして寝たきりになってしまう例が非常に多い。
【０００４】
このようなすり足歩きの原因を研究した結果、このような歩き方をする人は、図４に示す脚の脛の筋肉である前脛骨筋が弱っていることがわかった。
そこで、上記の従来技術では、この前脛骨筋を強化することはできず、本願発明はその筋肉を鍛えることができるトレーニング具を得ることを目的とする。
【課題を解決するための手段】
【０００５】
そこで本発明は、木や硬質プラスチック等の撓みが少ない硬質材製の長尺材のおもて面の後部に足の甲を入れる甲革部を設け、さらに先部に、錘を設けたことを特徴とする。
【発明の効果】
【０００６】
このような歩行強化具は、足の甲を入れる(履く)甲皮部より先方が長く、先端が重くしかも全長が撓むことがない構造であるために利用者が、歩行強化具の甲皮部に足の甲を入れて(履いて)歩行するに際して、利用者は、つま先に力を入れて歩行強化具の先が歩行路面（床面）に触れないように一歩一歩歩くようにすることによって、歩行強化具の先が下がらないようにつま先が上を向くように力を入れることになる。これは、脛の前脛骨筋に力を入れることになり、このような歩行訓練によって、前脛骨筋が鍛えられることになる。
【発明を実施するための最良の形態】
【０００７】
以下に、図面を参照して本発明の実施例を説明する。
図１、図２は本発明の実施例を示す説明図である。
図において、１は歩行強化具であり、木や硬質プラスチック等の撓みが少ない硬質材製の板状体であり、幅は足を載せることができる程度の寸法であり、一般的には１０ｃｍ程度である。長さは約４５〜５０ｃｍ程度とした長尺材である。
【０００８】
この歩行強化具１は、そのおもて面の後端から適宜寸法にわたって、足の甲の全部もしくは一部を覆うことができる甲革部２が設けてあり、うら面後部には必要に応じてかかと３が形成してある。
この甲皮部２は、靴形状、スリッパ形状（図１）、帯状体によるサンダル形状（図２）、鼻緒形状等任意の形状でよく、その材質も布、革、合成樹脂もしくはこれらの組合せ等どのような材質でもよく任意であり、要するに足に履いて歩くことができる形状と材質であればよい。
【０００９】
なお、かかとを形成する場合は、図１に示すようにうら面後部に形成してもよく、また、図２に示すようにおもて面後部を後端に向けて傾斜を付けて高くしてもよい。
歩行強化具１のおもて面の先部に、錘４の係止部５が設けてある。この係止部５と錘４の構成は、互いの相互関係でどのような構造でもよい。例えば、図示する如く、係止部５として２本の軸が取付けてあり、錘４にはその軸を通す係止孔を設けた丸形、角形等任意形状の錘４を設け、その錘４を付け加えたり外したりすることができるようにしたものでもよく、例えば１ｋｇの錘が予め付けてあり、その上に必要に応じて５００ｇの錘を１つ以上加えたり外したりすることができるようにした構造のようなものでもよい。
【００１０】
また、上記のような錘を取り外しできる構造ではなく、歩行強化具１の先部に一定の重さを予め一体に固定形成した構造のものでもよい。この場合、錘はおもて面に形成してもよいが、先端周面に所定間隔にわたって取り付けてもよく、さらには埋め込んで取り付けた構造としてもよい。
このような構成によると、図３に示す如く、歩行強化具１は足を入れる(履く)甲皮部２より先方が長く伸びており、先端が重くしかも全長が撓むことがない（少ない）構造であるために利用者が、歩行強化具１の甲皮部２に足を入れて(履いて)歩行するに際して、利用者は、つま先に力を入れて歩行強化具１の先が歩行路面（床面）に触れないように一歩一歩歩くようにすることによって、歩行強化具１の先端が下がらないようにつま先が上を向くように力を入れることになる。これは、歩行するには図４に示す脛６の前脛骨筋７に力を入れることになり、このような歩行訓練によって、前脛骨筋７が鍛えられることになる。
【００１１】
このようにして前脛骨筋７が強化されると、歩行に際して、足を前に出すことにより自然につま先が上がるようになり（背屈という。）、歩行路面のちょっとした凹凸や段差、歩道ブロックの境目などにつま先を引っかけなくなり、なめらかに歩行することができるようになる。
【図面の簡単な説明】
【００１２】
【図１】歩行強化具の実施例の説明図
【図２】歩行強化具の実施例の説明図
【図３】使用状態を示す説明図
【図４】前脛骨筋の説明図
【符号の説明】
【００１３】
１  歩行強化具
２  甲皮部
３  かかと
４  錘
５  係止部
６  脛
７  前脛骨筋
【図１】
2006346191.tif 000003
【図２】
2006346191.tif 000004
【図３】
2006346191.tif 000005
【図４】
2006346191.tif 000006
(57)【要約】【課題】従来の浚渫工事用除塵機は、土砂運搬船上に溶接やボルトにて固定していた。その為に土砂は一カ所だけに堆積していき、揚土作業を一旦停止して土砂をかき寄せてから揚土していた。又、除塵機上に堆積したゴミは人力にて回収し、搬出していた。【解決手段】本機は、鋼製パイプで内枠、外枠を形成し、内枠、外枠の間に発泡製フロートを取り付け本体及び受け入れ土砂重量にも耐えうる浮力を備えている。除塵部は鉄筋メッシュにしておりさらにその上にワイヤーモッコを敷き設してある。１）  量に応じてサイズ的検討、製作も簡潔に出来る。２）  使用後２分割出来る為保管、運搬が容易に出来る。３）  除塵後のゴミ搬出作業がクレーン等により吊り上げられ集積、搬出効率がよくなる。４）  揚土時に揚土場所を簡潔に出来る。（固定はロープ等により行う）【選択図】図１
2006346664.tif 000002
【特許請求の範囲】
【請求項１】
浮力備え移動が簡単に出来ることを特徴とする浮遊型除塵機である。
【請求項２】
前記除塵機は発泡製フロートを備え分割出来ることを特徴とする請求項１記載の浮遊型除塵機。
【発明の詳細な説明】
【技術分野】
【０００１】  この発明は、浚渫工事に於いて浚渫土砂中のゴミを除去する事に関する。
【背景技術】
【０００２】  従来の除塵機と違い場所の固定をしないで浚渫土砂上に浮く事が出来る。図２に示すように、発砲製フロートを取り付け浮力確保している。
【発明の開示】
【発明が解決しようとする課題】
【０００３】しかしながら、以上の技術によれば、除塵機に溜まったゴミを人力により搬出していた。これを溜まった時点でクレーンにて一度に吊り上げ搬出する事ができ、時間の短縮もできる。
そこで、この発明は、作業の安全性と時間短縮を提供することを課題とする。
【課題を解決するための手段】
【０００４】  以上の課題を解決するために、第一発明は、除塵機にフロートを備えたことを特徴とする浮遊型除塵機である。
また、第二発明は、除塵部分にワイヤーモッコを敷き設し搬出手間と時間を短縮出来ることを特徴とする浮遊型除塵機である。
【発明の効果】
【０００５】  第一発明、または第二発明によれば、浚渫土砂上に浮き移動も簡単にでき、かつ安全にスピーディに施工が出来る。
【発明を実施するための最良の形態】
【０００６】  この発明の一実施形態を、図１に示す。
浮遊型除塵機の本体１は鋼製のパイプであり、この本体の軽量化と、耐重性に優れていて２が一体的に設けられている。この２は除塵部分であり１００角の桝目状になっている。さらにワイヤーモッコも敷き設している。【０００７】「実施形態の効果」
この実施形態によれば、発泡フロートの働きで、除塵部２を通った土砂の上に除塵機本体が浮き上がる様になる。すなわち浮遊状態になる為揚土場所が速やかに移動出来ロープ等にて固定し一カ所に土砂が溜まることがない。【０００８】「他の実施形態」
図１の実施形態では、寸法が決まっているが作製時に用途に合わせて作製出来る。他の実施形態では、ワイヤーモッコの寸法に合わせるものでも良い。
【図面の簡単な説明】
【０００９】
【図１】この発明の一実施形態を示す平面図である。
【図２】従来技術を示す断面図である。
【符号の説明】
【００１０】  １  浮遊型除塵機本体  ２  浮遊型除塵機本体
【図１】
2006346664.tif 000003
【図２】
2006346664.tif 000004
(57)【要約】【課題】構造が簡単で、しかも高い溶解効率を得るという要求特性を満たす加圧溶解装置の吐出流路を提供する。【解決手段】水に空気を溶解させる加圧溶解装置の吐出流路において、少なくとも1箇所の縮径部を設け、縮径部の少なくとも一方の端部に、アールもしくはテーパーを施したことを特徴とする加圧溶解装置の吐出流路。【選択図】図１
2006346638.tif 000002
【特許請求の範囲】
【請求項１】
水に空気を溶解させる加圧溶解装置の吐出流路において、少なくとも1箇所の縮径部を設け、縮径部の少なくとも一方の端部に、アールもしくはテーパーを施したことを特徴とする加圧溶解装置の吐出流路。
【発明の詳細な説明】
【技術分野】
【０００１】
本発明は、加圧下において空気などの気体を水などの液体に溶解させ、圧力を開放することで数十ミクロン径のマイクロバブルを水中に吐出する加圧溶解装置に関する。
【背景技術】
【０００２】
マイクロバブルによる高い溶解効率については、例えば平成１０年７月２４日発行の日刊工業新聞に記載されているように既に広く知られており、そのためのマイクロバブル発生装置としては、より多くの微細な気泡を効率的に得られることが必要であるとの観点から、特開2005−000882号公報、特開2004−283810号公報、特開2003−079535号公報、特開2002−102093公報等に見られるように、多くの加圧溶解装置が提案されている。
図４は、従来の加圧溶解装置を示し、水槽２の水がポンプ３により空気とともに吸い上げられ、取り入れられた空気はポンプ出口側に設けられた溶解タンク４において加圧下で溶解し、吐出流路１に設けられたバルブ５を介してマイクロバブルとなって吐き出される。
【発明の開示】
【発明が解決しようとする課題】
【０００３】
ところが、上記従来の加圧溶解装置は、何れも気泡を生成するための流路構造となっているため、気泡数は多く得られるものの、微細泡とはいえ時間と共に水面に浮上し充分な溶解効率が得られていなかった。
本発明が解決しようとする課題は、構造が簡単で、しかも高い溶解効率を得るという要求特性を満たす加圧溶解装置の吐出流路を提供することにある。
【課題を解決するための手段】
【０００４】
前記課題を解決するため、本発明の加圧溶解装置の吐出流路は、少なくとも1箇所の縮径部を設け、縮径部の少なくとも一方の端部に、アールもしくはテーパーを施したことを特徴とする。
【発明の効果】
【０００５】
本発明の加圧溶解装置の吐出流路は、縮径部が設けられ、縮径部の少なくとも一方の端部にアールもしくはテーパーが形成されているので、液体中に加圧溶解させた空気を圧力開放する際、発生する乱流を排除することで気体の析出を抑えられる。その結果従来の加圧溶解装置と比較すると、表１、表２のように飽和酸素量までの所要時間を約1/2に短縮する溶解効率を発揮する。
【表１】
2006346638.tif 000003
【表２】
2006346638.tif 000004
【発明を実施するための最良の形態】
【０００６】
以下本発明の実施の形態について説明する。
【実施例１】
【０００７】
図１は第１の実施例に係る加圧溶解装置の吐出流路１の構造を示す縦断面および正面図である。図において縮径部１０は、例えば銅棒を穿孔した中空体を加圧溶解装置の溶解タンクからの吐出流路１の端末にねじ込んで装着する。
【実施例２】
【０００８】
図２は第２の実施例に係る加圧溶解装置の吐出流路１の構造を示す縦断面である。図において縮径部１０は、加圧溶解装置の溶解タンクからの吐出流路１に複数箇所設けられる。
【実施例３】
【０００９】
図３は第３の実施例に係る加圧溶解装置の吐出流路１の構造を示す縦断面である。図に示すように、縮径部１０は吐出流路１の管の一部を絞って、少なくとも絞りの一方の端部をアール又はテーパーに形成しても良い。
【図面の簡単な説明】
【００１０】
【図１】本発明の第１の実施例である加圧溶解装置の吐出流路の構造を示す。
【図２】本発明の第２の実施例である加圧溶解装置の吐出流路の構造を示す。
【図３】本発明の第３の実施例である加圧溶解装置の吐出流路の構造を示す。
【図４】従来の加圧溶解装置の構造を示す。
【符号の説明】
【００１１】
１０  縮径部
本発明の加圧溶解装置の吐出流路
水槽
ポンプ
溶解タンク
バルブ
【図１】
2006346638.tif 000005
【図２】
2006346638.tif 000006
【図３】
2006346638.tif 000007
【図４】
2006346638.tif 000008